(57)【要約】【課題】時計機能を持たせた冷蔵庫において、時間ずれのない時計機能付きの冷蔵庫を提供する。【解決手段】外部に設置されたタイムサーバー機能を有する外部機器２hからの時間データを信号線２ｇによる有線接続によって受信する受信手段からなる受信部２ｆと、冷蔵庫の各種運転状態の表示と時計表示を行う表示部２ｂと、冷蔵庫の各種運転状態の操作と前記受信部に表示する内容の設定と時計機能の設定とを行う操作手段からなる操作部２ｃと、前記受信部２ｆと、前記表示部２ｂと、前記操作部２ｃとが設けられて冷蔵庫の運転の制御と時計機能を有する制御部２ａからなり、タイムサーバー機能を有する外部機器２ｈから時間データを、予め設定した定時毎に取得することにより、時計機能の時間を自動修正する。【選択図】図１
2005201521.tif 000002
【特許請求の範囲】
【請求項１】
外部に設置されたタイムサーバー機能を有する外部機器からの時間データを有線接続によって受信する受信手段からなる受信部と、冷蔵庫の各種運転状態の表示と時計表示を行う表示部と、冷蔵庫の各種運転状態の操作と前記受信部に表示する内容の設定と時計機能の設定とを行う操作手段からなる操作部と、前記受信部と、前記表示部と、前記操作部とが設けられて冷蔵庫の冷却運転の制御と時計機能を有する制御部を備えたことを特徴とする時計機能付き冷蔵庫。
【発明の詳細な説明】
【技術分野】
【０００１】
本発明は時計機能を有する冷蔵庫に係り、より詳細には、時計の時刻合わせを自動修正する機能を具備した冷蔵庫に関するものである。
【背景技術】
【０００２】
従来、冷蔵庫は、食品や飲料等を所要温度の下に保存することを目的にしたもので常時通電されており、また操作部と表示部は専ら運転状態の設定と状態表示を行う機能のみを有していた。近年、冷蔵庫は、操作部と表示部をドアの全面に設置して、常時通電する特色を利用し、時計機能を持たせているものがある。（例えば、特許文献１、特許文献２参照）
また、外部と接続して外部機器を制御する機能を有したものがある。（例えば、特許文献３参照）
以下、図面を参照しながら、上記従来の時計機能付き冷蔵庫を説明する。
【０００３】
図３は従来の時計機能付き冷蔵庫の全体構成を示す要部ブロック図である。時計機能付き冷蔵庫冷蔵庫１は、冷蔵庫の運転制御機能と時計機能を制御するマイコン１ｄと発振子１ｅを有する制御部１ａと、制御部１ａから出力された信号を表示する表示部１ｂと、制御部１ａに信号の出力を行なう操作部１ｃとで構成される。
【０００４】
以上のように構成された従来の時計機能付き冷蔵庫について、以下その動作を説明する。
【０００５】
操作部１ｃを操作して、運転状態の設定または表示部１ｂに表示させる内容の設定または時計の時刻設定を行なう。操作部１ｃより信号が出力され、制御部１ａは、表示部１ｂに出力する信号を選択する。表示部１ｂは、制御部１ａからの信号により、操作部１ｃで設定された表示を行なう。制御部１ａ、表示部１ｂ、操作部１ｃの各制御は、制御部１ａ内のマイコン１ｄによって制御される。
【０００６】
時計機能の計時は、マイコン１ｄのソフトウェア上にて時間基準データを作成し、その時間基準データを、積算と判断を行なって計時を行なう。その精度はマイコンのクロックを発生する発振子１ｅによって決定される。
【特許文献１】特開２００１−２０１２３４号公報
【特許文献２】特開２００２−３１４５５号公報
【特許文献３】特開２００１−２８５９６３号公報
【発明の開示】
【発明が解決しようとする課題】
【０００７】
しかしながら、上記従来の構成は、時計機能の計時判定において、基準となる時間データがマイコンの基準クロックを発生する発振子の精度の影響を受けるため、時間修正をせずに放置すると、基準となる時間データの偏差が累積され、時間計時に誤差が発生するという欠点があった。時間修正をせずに放置しても、時計機能の計時を定期的に修正出来れば便利である。
【０００８】
本発明は従来の課題を解決するもので、時計機能の時間を自動修正する機能を有する時計機能付き冷蔵庫を提供することを目的とする。
【課題を解決するための手段】
【０００９】
上記課題を解決するため、本発明は、外部に設置されたタイムサーバー機能を有する外部機器からの時間データを有線接続によって受信する受信手段からなる受信部と、冷蔵庫の各種運転状態の表示と時計表示を行う表示部と、冷蔵庫の各種運転状態の操作と前記受信部に表示する内容の設定と時計機能の設定とを行う操作手段からなる操作部と、前記受信部と、前記表示部と、前記操作部とが設けられて冷蔵庫の運転の制御と時計機能を有する制御部からなり、前記タイムサーバー機能を有する機器から時間データを取得することにより、時計機能の時間を自動修正する。
【発明の効果】
【００１０】
本発明によれば、時計機能付き冷蔵庫の計時を、タイムサーバー機能を有する外部機器から時間データを取得するようにしたことにより、制御部に使用する部品の精度の影響を受けない正確な計時を実現でき、また、時刻修正を自動化することができる。これにより、時間の時間ずれのない時計機能付きの冷蔵庫を提供することが出来る。
【発明を実施するための最良の形態】
【００１１】
請求項１の発明は、外部に設置されたタイムサーバー機能を有する外部機器からの時間データを有線接続によって受信する受信手段からなる受信部と、冷蔵庫の各種運転状態の表示と時計表示を行う表示部と、冷蔵庫の各種運転状態の操作と前記受信部に表示する内容の設定と時計機能の設定とを行う操作手段からなる操作部と、前記受信部と、前記表示部と、前記操作部とが設けられて冷蔵庫の運転の制御と時計機能を有する制御部からなり、前記タイムサーバー機能を有する機器から時間データを取得することにより、時計機能の時間を自動修正する。
【００１２】
以下、本発明の実施の形態について、図面を参照しながら説明する。なお、従来と同一構成については、同一符号を付して詳細な説明を省略する。また、この実施の形態によってこの発明が限定されるものではない。
【００１３】
（実施の形態１）
図１は本発明の実施の形態１による時計機能付き冷蔵庫の全体構成を示す要部ブロック図である。図１に示すように、時計機能付き冷蔵庫２は、後述する機能のものを有する。制御部２ａは、表示部２ｂと操作部２ｃが接続され、時計機能付き冷蔵庫２の有する各機能ブロックを制御する。制御部２ａは、マイコン２ｄと発振子２ｅを有する。受信部２ｆは、タイムサーバー機能を有する外部機器２ｈと信号線２ｇによって有線接続され、また、制御部２ａに接続されている。表示部２ｂの形態は、ＬＥＤ表示または液晶表示によって構成することが望ましい。操作部２ｃの形態は、機械式スイッチまたはタッチパネルによって構成することが望ましい。受信部２ｆの形態は、マイコン２ｄの制御処理負担を軽減するために、外部機器との通信機能を備えたマイコン、または、外部機器との通信規格に準じた通信専用ＩＣによって構成することが望ましい。
【００１４】
以上のように構成された時計機能付き冷蔵庫について、以下に上記構成からなる本実施形態の動作を説明する。図２はマイコン２ｄの実行する時計機能付き冷蔵庫２の動作の概略フローチャートを示す。
【００１５】
まず、電源投入直後の動作について説明する。
【００１６】
時計機能付き冷蔵庫２の電源を投入後、マイコン２ｄは、図２のステップ１００からステップ１０６までを実行する。先ず、ステップ１００で時計機能付き冷蔵庫２の各種制御動作に関する初期設定処理を実行する。次に、マイコン２ｄは、ステップ１０１で受信部２ｆからデータを入力する。次に、ステップ１０２にてタイムサーバー機能を有する外部機器２ｈから、時刻データが正常に取得出来ているか判定する。ステップ１０１にて受信部２ｆから時刻データが正常に取得出来ている場合は、ステップ１０３に進む。ステップ１０３で、取得した時刻データを現在時刻として設定すると同時に、時計の計時処理を開始する。マイコン２ｄは、ステップ１０４で表示部２ｂに対し、現在時刻データを表示する信号を出力する。受信部２ｆから時刻データが正常に取得出来ていない場合はステップ１０５に進み、時刻の手動設定を行なう。時刻の手動設定を行なう場合の各構成要素の動作については、後述の時刻の手動設定時の動作にて説明する。時刻の手動設定が終了すると、ステップ１０６にて、手動設定した時刻を表示させる信号をマイコン２ｄから表示部２ｂに出力すると同時に、時計の計時処理を開始する。
【００１７】
次に、時刻の手動設定時の動作について説明する。
【００１８】
制御部２ａは表示部２ｂに対し、時計の時刻設定を行なう画面を表示するための信号を出力する。表示部２ｂに時刻設定画面が表示されると、任意の時刻表示を設定すべく、操作部２ｃを操作する。制御部２ａは操作部２ｃの状態変化を検知すると、表示部２ｂに対し、時刻表示を変化させる信号を出力する。表示部２ｂに任意の時刻表示がされると、時刻設定を終了すべく、操作部２ｃを操作する。制御部２ａは操作部２ｃの状態変化を検知すると、表示部２ｂに対し、時刻設定表示を終了させる信号を出力する。
【００１９】
次に、通常運転制御について説明する。
【００２０】
電源投入後のステップ１００からステップ１０６までの処理を終了すると、マイコン２ｄは通常の運転を制御し、ステップ１０７からステップ１１４を繰返し実行する。通常の運転制御の中には、表示部２ｂの表示内容の選択操作も含まれる。表示部２ｂの表示内容の選択は、操作部２ｃの操作により、現在時刻の表示、または、それ以外を任意に選択できるものとする。時計の時刻を自動設定するには、タイムサーバー機能を有する外部機器２ｈから送られる時刻データを、定期的に取得する必要がある。この定期的に時刻データを取得する時間を、時刻データの定時確認時間とし、予め設定されているものとする。
【００２１】
先ず、ステップ１０７にて時計機能付き冷蔵庫２の各構成要素の制御処理を行なう。次に、ステップ１０８では、時刻データの定時確認時間が経過したか判定を行なう。時刻データの定時確認時間が経過している場合は、ステップ１０９に進み、経過していない場合は、ステップ１１２に進む。ステップ１０９で、マイコン２ｄは、受信部２ｆからデータを入力する。次に、ステップ１１０にてタイムサーバー機能を有する外部機器２ｈから、時刻データが正常に取得出来ているか判定する。受信部２ｅから時刻データが正常に取得出来ている場合は、ステップ１１１に進み、正常に取得出来ていない場合は、ステップ１１２に進む。ステップ１１１で、取得した時刻データを現在時刻として設定すると同時に、時計の計時処理を継続する。
【００２２】
したがって、タイムサーバー機能を備えた外部機器からの時刻データで現在時刻が更新されることとなり、時刻の自動修正が実現出来る。
【００２３】
次に、ステップ１１２では、表示部２ｂの表示内容の判定を行なう。表示部２ｂに現在時刻を表示する場合は、ステップ１１３に進む。ステップ１１３で、マイコン２ｄは、表示部２ｂに対し、現在時刻を表示させる信号を出力し、ステップ１０７に戻る。表示部２ｂに現在時刻以外の表示をさせる場合は、ステップ１１４に進む。ステップ１１４で、マイコン２ｄは、表示部２ｂに対し、現在時刻以外の表示をさせる信号を出力し、ステップ１０７に戻る。
【００２４】
以上のように、本実施の形態の時計機能付き冷蔵庫は、マイコン２ｄと発振子２ｅを含んだ制御部２ａと、表示部２ｂと、操作部２ｃと、受信部２ｆと、信号線２ｇによって構成され、タイムサーバー機能を有する外部機器２ｈからの時間データを、信号線２ｇと受信部２ｆを介して取得できるため、マイコン２ｄで処理する時計の計時処理において、現在時刻の設定を自動更新できる。
【産業上の利用可能性】
【００２５】
以上のように、本発明は、時間の時間ずれのない時計機能付きの冷蔵庫を提供することができ、冷蔵庫に限らず同様の機器に対する付加機能として有用である。
【図面の簡単な説明】
【００２６】
【図１】従来の時計機能付き冷蔵庫の全体構成を示す要部ブロック図
【図２】本発明による時計機能付き冷蔵庫の全体構成を示す要部ブロック図
【図３】本発明による時計機能付き冷蔵庫の自動的な時刻設定方法の処理を示すフローチャート
【符号の説明】
【００２７】
１、２    時計機能付き冷蔵庫
１ａ、２ａ    制御部
１ｂ、２ｂ    表示部
１ｃ、２ｃ    操作部
２ｆ    受信部
２ｈ    タイムサーバー機能を備えた外部機器
【図１】
2005201521.tif 000003
【図２】
2005201521.tif 000004
【図３】
2005201521.tif 000005